(57)【要約】      （修正有）【課題】撮影用のひな段を構成する段板を安定した状態で片手でも多くの枚数を持って運搬することの可能な段板運搬具を提供する。【解決手段】撮影用ひな段の段板を運搬するための段板運搬具は、一対のベース部２１０と、一対のベース部にそれぞれ複数設けられる棒状部２２０と、一対のベース部間を連結する連結部２３０と、を備える。段板は矩形状であり、矩形状の対向する辺にそれぞれ、棒状部２２０を収容するための棒状部収容部が形成されており、複数の棒状部が棒状部収容部にそれぞれ収容され、連結部２３０を持ち上げることで、複数の段板を同時に持ち上げることができる。例えば、片手に６枚、両手で１２枚の段板を同時に持つことができる。【選択図】図３
0003205413.tif 000002
【実用新案登録請求の範囲】
【請求項１】
撮影用ひな段の段板を運搬するための段板運搬具であって、
一対のベース部と、
前記一対のベース部にそれぞれ複数設けられる棒状部と、
前記一対のベース部間を連結する連結部と、
を備え、
前記段板は矩形状であり、矩形状の対向する辺にそれぞれ、前記棒状部を収容するための棒状部収容部が形成されており、
前記複数の棒状部が前記棒状部収容部にそれぞれ収容され、前記連結部を持ち上げることで、複数の前記段板を同時に持ち上げることができることを特徴とする、段板運搬具。
【考案の詳細な説明】
【技術分野】
【０００１】
本考案は、撮影用ひな段の段板を運搬するための段板運搬具に関する。
【背景技術】
【０００２】
集合写真の撮影の際などにひな段が用いられている。ひな段は、ひな段本体とその上に載置される段板とにより主に構成され、撮影時には、被写体が段板の上に座ったり立ったりすることで、画角内に被写体を整列させることができる。被写体の人数によっては、ひな段本体の形状を変えたり組み合わせたり、段板の枚数を増やすことで、段数の異なるひな段を構成することもできる。
【０００３】
従来、ひな段を構成する段板を運搬する際には、段板を表裏に重ねて手で持って運んだり、段板を収納するキャリングバッグを用いたりしていた。また、段板を運搬する運搬具として、本件の考案者が考案した画期的なひな段用運搬具が用いられていた（特許文献１参照）。
【先行技術文献】
【特許文献】
【０００４】
【特許文献１】登録実用新案第３２０２８３５号公報
【考案の概要】
【考案が解決しようとする課題】
【０００５】
しかしながら、上記従来の運搬方法には、以下のような問題があった。まず、手で持って運ぶ方法では、両手でも４枚持つのが限界であった。また、キャリングバッグに収納して運搬する方法では、段板を６枚程度収容できるが、段板の出し入れがしにくいという問題があった。また、特許文献１のひな段用運搬具を用いる方法でも、より容易に段板を積載できる方法が求められていた。
【０００６】
そこで本考案は、このような問題に鑑みてなされたものであり、その目的とするところは、撮影用のひな段を構成する段板を安定した状態で片手でも多くの枚数を持つことの可能な、新規かつ改良された段板運搬具を提供することにある。
【課題を解決するための手段】
【０００７】
上記課題を解決するために、本考案によれば、撮影用ひな段の段板を運搬するための段板運搬具であって、一対のベース部と、前記一対のベース部にそれぞれ複数設けられる棒状部と、前記一対のベース部間を連結する連結部と、を備え、前記段板は矩形状であり、矩形状の対向する辺にそれぞれ、前記棒状部を収容するための棒状部収容部が形成されており、前記複数の棒状部が前記棒状部収容部にそれぞれ収容され、前記連結部を持ち上げることで、複数の前記段板を同時に持ち上げることができることを特徴とする、段板運搬具が提供される。
【０００８】
かかる構成によれば、複数の棒状部が棒状部収容部にそれぞれ収容され、連結部を持ち上げることで、複数の段板を同時に持ち上げることができるため、撮影用のひな段を構成する段板を安定した状態で片手でも多くの枚数を持つことが可能である。例えば、片手に６枚の段板を持つことで、両手で１２枚の段板を同時に持つことができる。特許文献１に記載のひな段用運搬具にも、より容易に段板を積載することが可能である。
【０００９】
また、段板運搬具でまとめた段板（綴じた段板とも言う。）は、倉庫にそのまま横積み、縦並べで保管できる。数の管理も容易である。ひな段運搬具との併用で、この綴じた段板をひな段運搬具に積載状態で保管できれば、次回、即利用できる。キャリングバッグでは角がすり減って穴が空く、入れにくい、かさばる、などの問題があるが、このような問題も起きない。
【考案の効果】
【００１０】
本考案の段板運搬具によれば、撮影用のひな段を構成する段板を安定した状態で片手でも多くの枚数を持つことが可能である。本考案のその他の効果については、以下の考案を実施するための形態の項でも説明する。
【図面の簡単な説明】
【００１１】
【図１】段板１００の構成を示す図である。
【図２】段板１００を積み重ねた状態を示す図であり、（ａ）は２枚の段板の上下を反転させた状態を示し、（ｂ）は２枚の段板を積み重ねた状態を示し、（ｃ）は４枚の段板を積み重ねた状態を示す。
【図３】段板運搬具２００の構成を示す図であり、（ａ）は段板運搬具２００の側面図であり、（ｂ）は（ａ）の符号Ｂ部分を下方から見た図であり、（ｃ）は（ａ）の符号Ｃ部分を側方から見た図である。
【図４】段板１００に棒状部２２０を収容した状態を示す断面図である。
【図５】積み重ねた段板１００に棒状部２２０を収容した状態を示す図であり、（ａ）は４枚の段板１００を積み重ねた状態を示し、（ｂ）は５枚の段板１００を積み重ねた状態を示し、（ｃ）は６枚の段板１００を積み重ねた状態を示す。
【図６】段板運搬具２００を用いて複数の段板１００を持ち上げた状態を示す図であり、（ａ）は正面から見た図であり、（ｂ）は側方から見た図である。
【考案を実施するための形態】
【００１２】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１３】
まず、図１を参照しながら、撮影用ひな段の段板（以下、単に段板とも言う。）について説明する。図１は、段板１００の構成を示す図である。
【００１４】
（段板１００）
段板１００は撮影用ひな段を構成するものである。段板１００は、図１に示したように、撮影用ひな段の上面を構成する薄板状の矩形状の平板部１１０と、平板部１１０を高さ方向に支える複数の支持部１２０とから構成されている。段板１００を側方から見ると、支持部１２０のうちの一部が矩形に閉じている（参照符号１３０）。この矩形の部分が、後述する段板運搬具２００の棒状部２２０が収容される棒状部収容部１３０として機能する。
【００１５】
棒状部収容部１３０の形状は、例えば一辺が１６ｍｍ程度の四角柱形状に形成することができる。棒状部収容部１３０は、矩形状の平板部１１０の対向する辺にそれぞれ形成される。図１に示した一例では、段板１００の長手方向に沿って棒状部収容部１３０が形成されているが、対向する辺にそれぞれ別の棒状部収容部が形成されていてもよい。
【００１６】
図２は、段板１００を積み重ねた状態を示す図である。段板１００は、図２（ａ）に示したように、上下を反転させることによって、図２（ｂ）に示したように、段板１００の２枚を表裏に重ねることができる。さらに、図２（ｂ）に示した２枚の段板１００を２段に積み重ねることによって、図２（ｃ）に示したように、段板１００を４枚積み重ねることができる。以下同様に、さらに積み重ねることができる。なお、積み重ねる枚数は、偶数枚に限らず奇数枚であってもよい。
【００１７】
以上、段板１００について説明した。次に、段板１００を運搬するための段板運搬具２００について説明する。図３は、段板運搬具２００の構成を示す図である。図３（ａ）は段板運搬具２００の側面図であり、図３（ｂ）は図３（ａ）の符号Ｂ部分を下方から見た図であり、図３（ｃ）は図３（ａ）の符号Ｃ部分を側方から見た図である。
【００１８】
（段板運搬具２００）
段板運搬具２００は、撮影用ひな段の段板１００を運搬するための段板運搬具であって、図３（ａ）〜（ｃ）に示したように、一対のベース部２１０と、一対のベース部２１０にそれぞれ複数設けられる３本の棒状部２２０と、一対のベース部２１０間を連結する連結部２３０と、を備えて構成される。
【００１９】
以下、段板運搬具２００の各構成要素について順に説明する。
【００２０】
（ベース部２１０）
ベース部２１０は、図３（ａ）〜（ｃ）に示したように、薄板状の矩形状の平板である。ベース部２１０の材質は、段板１００を持ち上げるのに適切な素材で構成される。ベース部２１０には、棒状部２２０と連結部２３０がそれぞれねじ止め（Ｓ１、Ｓ２）されている。
【００２１】
（棒状部２２０）
棒状部２２０は、段板１００を持ち上げるのに適切な硬度を有する素材で、適切な長さ（例えば４０ｍｍ程度）の円柱形状とすることができる。棒状部２２０の径は、上述した棒状部収容部１３０のサイズに合わせて構成される。例えば、棒状部収容部１３０の幅が１６ｍｍ程度であれば、棒状部２２０の径を１５ｍｍ程度とすることができる。棒状部２２０の長さや形状はこれに限定されない。例えば、棒状部を多角形柱状としてもよい。
【００２２】
棒状部２２０は、図３（ａ）、（ｂ）に示したように、ベース部２１０の下方にねじ止め（Ｓ１）されており、ベース部２１０から略垂直方向に延在する。棒状部２２０は、図３（ｂ）に示したように、一対のベース部２１０に対して、それぞれ並列に３本ずつ設けられている。３本の棒状部２２０の間隔は、段板１００が積み重ねられたとき（図２参照）の棒状部収容部１３０の間隔に対応するものである。なお、棒状部２２０の本数や配置はこの例に限定されない。
【００２３】
（連結部２３０）
連結部２３０は、図３（ａ）、（ｃ）に示したように、一対のベース部２１０の上方でねじ止め（Ｓ２）されている。連結部２３０の材質は、段板１００を持ち上げるのに適切な素材で構成される。連結部２３０の長さは、段板１００を持ち上げやすいように、段板１００の長辺よりも一定程度長く構成される。なお、使用者が持ち上げる際の便宜のために、連結部２３０の長さを調整できるようにすることが好ましい。なお、連結部２３０として、市販のベルト締具などを利用してもよい。
【００２４】
図４は、段板１００の棒状部収容部１３０に、段板運搬具２００の棒状部２２０を収容した状態を示す断面図である。図４では、段板１００の一端部を示しているが、他端部も同様である。図４に示したように、段板１００の棒状部収容部１３０（図１参照）に、段板運搬具２００の棒状部２２０が収容される。段板運搬具２００のベース部２１０は、棒状部２２０から垂直に延在するので、段板１００の側面に密着する。段板１００の他方の側部も同様の状態である。
【００２５】
そして、ベース部２１０は連結部２３０に連結されており、連結部２３０を持ち上げることで、段板１００を持ち上げることができる。
【００２６】
以上、段板１００と段板運搬具２００の構成について説明した。次に、段板運搬具２００を用いて段板１００を運搬する動作について、主に図５、図６を参照しながら説明する。
【００２７】
まず、図５に示したように、これから運搬する段板１００を積み重ねる。図５（ａ）は４枚の段板１００を積み重ねた状態を示し、図５（ｂ）は５枚の段板１００を積み重ねた状態を示し、図５（ｃ）は６枚の段板１００を積み重ねた状態を示す。そして、段板運搬具２００の棒状部２２０を、段板１００の棒状部収容部１３０に両端から収容する（図４参照）。必要に応じて、段板運搬具２００の連結部２３０の長さを調整する。
【００２８】
運搬者は、図６に示したように、連結部２３０の部分を持って、積み重ねられた段板１００を持ち上げることができる。図６（ａ）は正面から見た図であり、図６（ｂ）は側方から見た図である。この際、外側の段板１００が内側の段板１００をはさみ込み、段板１００間に持上げ応力が働くことで、複数の段板１００を同時に持ち上げることができる。
【００２９】
（使用時の流れ）
以下、さらに詳細な使用時の流れについて、従来と本実施形態とを比較して説明する。
【００３０】
集合写真出張撮影の場合（３段３基の場合）は、台車、本体３個、段板１０枚が必要である。従来、以下のような手順で段板が運搬される。
（１）台車を出す。１回
（２）段板１０枚を４枚ずつ両手で２回から３回、台車に積む。本体３個を両手で２個で１回、１個を１回、計２回、台車に積む。合計６回の作業が発生する。
（３）車へ運ぶ。
（４）上記同様作業
（５）現場に着く。積み込み、上記１、２の作業の繰返し。撮影場所に着く
（６）本体３個を開いて設置、段板を設置、台車の移動。撮影終了、上記（１）、（２）、（３）の作業の繰り返し。戻って、倉庫に収納。
【００３１】
一方、本実施形態の段板運搬具２００を用いた場合（３段３基の場合）、以下のような手順で段板が運搬される。
（１）セットされたひな段運搬具を出し、セットされた段板（５枚）をひな段運搬具に積む。なお、場所の余裕があればこの状態で保管する。
（２）セットされた段板（１組５枚）を両手で２組、移動と車載、１回の作業が発生する。
（３）セットされたひな段運搬具を車載１回。合計２回の作業が発生する。撮影場所に着く。
（４）本体３個を開いて設置、段板を設置、台車は本体後部に隠れる。撮影終了、セットされたひな段運搬具状態に戻す。段板（５枚）を綴じる、積載して、運搬する。
【００３２】
このように、本実施形態では、セットされた段板（１組５枚）は保管時、運搬移動時、現場等での取扱いが容易である。女性や子供等は４枚が限界で、力のある人は６枚持てるが、綴じることで女性や子供でも５枚は可能であり、かつ安全である。また、段板の数が多い場合、枚数の確認が面倒であるが、４枚又は５枚に綴じてあれば、確認が容易である。
【００３３】
（本実施形態の効果）
以上説明したように、本実施形態の段板運搬具２００によれば、複数の棒状部２２０が棒状部収容部１３０にそれぞれ収容され、連結部２３０を持ち上げることで、複数の段板１００を同時に持ち上げることができるため、段板１００を安定した状態で片手でも多くの枚数を持つことが可能である。例えば、片手に６枚の段板１００を持つことで、両手で１２枚の段板１００を同時に持つことができる。ひな段用運搬具にも、より容易に段板１００を積載することが可能である。
【００３４】
以上、添付図面を参照しながら本考案の好適な実施形態について説明したが、本考案はかかる例に限定されないことは言うまでもない。当業者であれば、実用新案登録請求の範囲に記載された範棒状部収容部疇内において、各種の変更例又は修正例に想到し得ることは明らかであり、それらについても当然に本考案の技術的範囲に属するものと了解される。
【００３５】
例えば、上記実施形態では、棒状部２２０が３本の場合について説明したが、本発明はこれに限定されない。棒状部の本数は２本（段板４枚専用）でもよい。また、棒状部の本数は４本以上であってもよい。
【００３６】
また、段板の形状により、矩形（棒状部収容部）が無い製品があるが、重ね合わせることにより矩形が形成され、本考案の適応が可能である。
【００３７】
また、棒状部を棒状部収容部に挿入したときに、棒状部が抜け出しにくくなることがある。そこで、平板部に棒状部を引き出すための取っ手を設けるようにしてもよい。
【００３８】
また、棒状部の間隔を変えられるような構成としてもよい。
【産業上の利用可能性】
【００３９】
本考案は、撮影用ひな段の段板を運搬するための段板運搬具に利用可能である。
【符号の説明】
【００４０】
１００  段板
１１０  平板部
１２０  支持部
１３０  棒状部収容部
２００  段板運搬具
２１０  ベース部
２２０  棒状部
２３０  連結部
【図１】
0003205413.tif 000003
【図２】
0003205413.tif 000004
【図３】
0003205413.tif 000005
【図４】
0003205413.tif 000006
【図５】
0003205413.tif 000007
【図６】
0003205413.tif 000008